【事件の表示】
　平成　５年特許願第２３６０８６号「本原稿画像形成装置」拒絶査定不服審判事件〔平成　７年　４月１１日出願公開、特開平　７−　９８５２５〕について、次のとおり審決する。
【結　論】
　本件審判の請求は、成り立たない。
【理　由】
第１　本願発明
　本願は平成５年改正前の特許法第４２条の２に基づく優先権主張を伴う平成５年９月２２日の出願（優先日：平成５年８月６日）であって、その請求項１及び２に係る発明は、平成１２年４月１７日付け、平成１３年１２月３日付け、平成１４年６月５日付け、平成１４年９月９日付け、平成１５年１月６日付け及び平成１７年６月１７日付けの手続補正により補正された明細書及び図面の記載からみて、その特許請求の範囲の請求項１及び２に記載されたとおりのものであって、そのうち請求項１に係る発明（以下「本願発明」という。）は、以下のとおりのものである。
　
「本原稿を見開いて上向きに載置する原稿載置台と、該原稿載置台上の見開いた本原稿の上を左右方向に移動しながら該見開いた本原稿の左右頁の画像データを読み取る読取手段と、この読取手段により読み取られた本原稿の左右頁の画像データにより、前記読取手段の移動方向と転写紙の搬送方向とを対応させて該転写紙上に画像を形成する画像形成部とを有する本原稿画像形成装置において、
　前記読取手段により読み取られた前記本原稿の左右頁の画像データにより前記転写紙上に画像を形成するときに、前記見開いた本原稿の左端部位置を前記転写紙の搬送方向先端位置に合わせて前記転写紙上に画像を形成させる設定と、前記見開いた本原稿の画像を前記転写紙の搬送方向中央に形成させる設定と、前記見開いた本原稿の右端部位置を前記転写紙の搬送方向後端位置に合わせて前記転写紙上に画像を形成させる設定とのいずれかに選択的に設定を行う画像基準位置設定手段と、
　この画像基準位置設定手段により設定された前記見開いた本原稿の前記読取手段移動方向位置と前記転写紙の搬送方向位置との位置関係より前記転写紙の搬送方向位置を前記見開いた本原稿の前記読取手段移動方向位置に対して前記転写紙の搬送方向に移動させる移動量を設定する画像基準位置移動手段と
を備え、前記画像基準位置設定手段により前記見開いた本原稿の左端部位置を前記転写紙の搬送方向先端位置に合わせて前記転写紙上に画像を形成させる設定と、前記見開いた本原稿の右端部位置を前記転写紙の搬送方向後端位置に合わせて前記転写紙上に画像を形成させる設定とがなされたときのみ、前記画像基準位置移動手段による前記移動量の設定を有効にし、前記見開いた本原稿の画像を前記転写紙の搬送方向中央に形成させる設定がなされたときには前記画像基準位置移動手段による前記移動量の設定を無効にすることを特徴とする本原稿画像形成装置。」
　
第２　刊行物の記載内容
１．本願の優先日前に頒布され、当審において通知した拒絶理由に引用された特開昭６２−４２６６５号公報（以下「刊行物１」という。）には、図面とともに、以下のとおりの事項が記載されている。
　
（１）公報１ページ左下欄１８ないし２０行目
「本発明は原稿画像を読取って得た画像信号に基づき記録材上に画像を記録する画像記録装置に関するものである。」
（２）公報１ページ右下欄１７行目ないし２ページ左上欄１７行目
「例えば、その例を第１図に示すと、第１図は最大Ｂ４判の原稿まで複写可能な原稿移動台形式の複写機の原稿台１の平面図である。…。作業者は常に図中左隅に原稿を合わせて（コーナー・アジヤスト方式）複写しなければならない。
　例えばＡ４判の記録紙で第１図Ｂに示す如きＢ５判又はＡ４判の本２の右ページ３を複写する場合は、第１図において右ページ３が上方に位置し、左ページ４が下方に位置する如く載置し、かつ余白として必要なスペース分だけ指定位置よりやや上方に位置せしめなければならない。」
（３）公報２ページ右上欄２行目ないし左下欄１１行目
　本発明は、上述の如き従来の欠点を除去した複写記録装置に関するものであり、以下図面に従いその一実施例について説明する。
　第２図は本発明を適用した複写記録装置の概略図であり、この複写記録装置は第２図Ａに示す如く原稿上の情報を読取るための読取部と第２図Ｂに示す如く記録紙上に情報を記録する記録部から成っているものである。
　読取部の上部には第２図Ａで示す様に、ガラス等より成る原稿台１１が形成されており、この原稿台１１上に原稿を載置する。…。
　原稿台１１の下部には、…棒状光源１２、…反射鏡１３、多数の受光要素を直線状に配置した受光器１４、…光学レンズ１５から成る光学ユニツトが設けられている。この光学ユニツトは…基台１９に固定されている。基台１９は…Ｑ方向に往動又は反Ｑ方向に復動運動をする。
　又、受光器１４の主走査方向は原稿面で第２図ＡのＰ方向へ順次繰返し走査するものとする。従って光学ユニツトの移動（副走査）により、原稿台１１上に載置した原稿の情報は、順次受光器１４上に結像され、受光要素を順次読出す（主走査）ならば、受光器１４からは原稿をラスター・スキヤンした順次画素信号を得ることができるものである。」
（４）公報３ページ左上欄８行目ないし右上欄２行目
「第２図Ａ、Ｂの装置で複写記録を行う場合は、光学ユニツトの基台１９がＱ方向に移動しつつ原稿台の情報をＰ方向に繰返しラスタースキヤンする。この時記録部はドラムがＲ方向へ回転し、ラスタースキヤンした１ライン分の画像情報をドラム１回転中に記録紙上に記録する。また、光学ユニツトの基台１９のＱ方向の移動と同期し、ヘツド支持体はＳ方向に移動しつつ、記録を行う。つまり、読取部のＰ方向と記録部のＲ方向、読取部のＱ方向と記録部のＳ方向は夫々対応している。この場合、読取部で得た画像情報はバツフア回路を介して、記録部のインクジエツト・ヘツド２７に送られ、読取りと並行して記録が行われるが、例えば一度読取った原稿の１ページ分の情報をメモリにフアイルした後、改めて記録を行ってもよい。」
（５）公報５ページ左上欄１７ないし１９行目
「余白を記録紙の先端に設ける（左ページ）だけでなく、後端に設ける場合（右ページ）もあり、」
（６）公報５ページ右上欄７ないし１１行目
「この時、まず、最初に左右どちらかのページからスタートするのかを指示しなければならないが、これは、左ページ・スタート・スイツチ７８及び右ページ・スタート・スイツチ７９とを選択することによって行われる。」
（７）公報５ページ右下欄２ないし１３行目
「次に、第１図の原稿台にてＢ５判の記録紙に、Ｂ５判の本をコピーする場合について説明する。この場合には、…受光器１４とヘツド支持体２９のスタート開始時間を制御すればよい。
　即ち、第１図の原稿台でＢ５判をコピーする時、記録紙の左側に余白を作りたい場合には、ヘツド支持体２９を先に、逆に記録紙の右側に余白を作りたい場合には受光器１４を先に移動させればよい。
　これを実現する一実施例を第６図に示す。」
（８）公報６ページ左上欄１７行目ないし右上欄６行目
「シフト量は…シフト量設定器９２によって自由に変えることができ、この設定器９２は遅延回路９３に接続されている。…。今、余白シフトが必要な場合、余白シフトスイツチ９０を押すと、切換スイツチ９５は遅延回路９３の出力を選択し、遅延信号を…伝える。」
（９）公報６ページ左下欄７ないし２０行目
「今、左ページ・スタート・スイツチ１００がオン状態の場合、…ヘツド支持体が光学ユニツト基台より先にスタートし、記録紙の左端に余白が生じる。右ページ・スタート・スイツチ１０１を押した場合には、この逆である。」
（１０）公報６ページ右下欄４ないし１９行目
「以上の説明は、…左右のページにおいて複写する本の天地を逆転しなければならない場合で、その様な必要のない複写物体又は、複写装置の場合は、左ページ・スタート・スイツチ１００と右ページ・スタート・スイツチ１０１はいずれも押す必要はないので、…常に記録紙の左端に余白を得ることができる。
　余白シフトを必要としない場合は、余白シフト・スイツチ９０はオフ状態で、…、光学ユニツト基台とヘツド支持体は同時にスタートする。」
（１１）公報７ページ右上欄１８行目ないし左下欄２行目
「尚、上記実施例においては、記録部としてインクジエツト記録を用いるものについてのみ例示したが、デジタル的に記録出来るサーマル記録、静電記録、レーザビーム記録等を用いることも出来るものである。」
　
２．同じく、特開平２−１６１８６８号公報（以下「刊行物２」）という。）には、図面とともに、以下に列挙する事項が記載されている。
（１）特許請求の範囲
「複数の原稿が載置可能な原稿台と、
　前記原稿台に載置された複数の原稿を順次走査する走査手段と、
　前記原稿台上における原稿の大きさ又は位置を検知する検知手段と、
　前記検知手段により検知された原稿の大きさ又は位置に従って前記走査手段の原稿走査領域を制御する手段とを有することを特徴とする像処理装置。」
（２）公報２ページ左下欄１ないし１９行目
「第１図に本発明による複写装置の外観を示す。本装置は基本的に２つのユニットにより構成される。リーダＡとプリンタＢである。…。接続は電気ケーブルでのみ接続するようになっている。…。
　第３図にリーダＡ…の構造断面図を示す。原稿は原稿ガラス上に下向きに置かれ、その載置基準は正面から見て左奥側にある。…。原稿…の反射光は…ＣＣＤ１の面上に集光するよう光路が形成されている。…この光学ユニットはＤＣサーボモータによってＰＬＬをかけながら一定速度で左から右へ移動する。」
（３）公報３ページ左上欄４行目ないし右上欄１３行目
「次に第３図に於いて、リーダＡの下に置かれているプリンタＢの概観について説明する。リーダＡで処理されビツト・シリアルになった画像信号はプリンタＢのレーザ走査光学系ユニツト２５に入力される。…リーダＡからの画像信号は半導体レーザに印加され電気−光変換されその発散するレーザ光を…感光体８に走査する。…感光体８は一例として導電層−感光層−絶縁層の３層からなる。従って、これに像形成を可能とさせるプロセスコンポーネントが配置されている。…、１４は現像器、１５は給紙カセツト、１６は給紙ローラ、１７は給紙ガイド、…、２１は搬送ガイド、…である。感光体８及び搬送系の速度はリーダの往路と同じく１８０ｍｍ／ｓｅｃである。」
（３）公報３ページ左下欄１２行目ないし右下欄２行目
「本例の複写装置は画像編集等のインテリジエンシを持つが、このインテリジエンシはリーダＡ側で、ＣＣＤ１で読取った信号を加工して行っており、リーダＡから出力される段階ではいかなる場合に於いても、一定ビツト数（４７５２）で一定速度（１３．８９ＭＨｚ）の信号が出るようになっている。インテリジエンシの機能としては、…指定された領域のみ画像を抜き出すトリミング機能、トリミングされた像をコピー紙上の任意の場所に移動させる移動機能がある。」
（４）公報３ページ右下欄２０行目ないし４ページ左上欄２行目
「尚、移動座標にシフトされるトリミング座標は副走査方向の値が一番小さい座標ポイントを基準にして決める。」
（５）公報４ページ右下欄７行目ないし５ページ右上欄６行目
「本装置は、単なる複写機能の他に、任意の拡大縮小ができる変倍機能や、原稿の任意の部分を抜き出したり削除したりする編集機能、さらに、原稿の大きさや位置を自動的に検知し変倍や編集を自動的に行なう等の様々な機能を持つ。この様な、原稿の画像を操作する機能を総括して、『画像操作機能』と呼ぶ。…
　以下整理すると、画像操作機能の中に次の５つがある。
　即ち変倍機能として…がある。画像反転機能として…反転画像がある。編集機能として編集ナシ、白マスキング、黒マスキングがある。…白枠トリミング、黒枠トリミング、原稿位置自動検知がある。…移動機能として移動ナシ、移動先指定、原点移動（コーナリング）、センタリングがある。特殊変倍機能として…ＸＹ変倍オートがある。移動機能と特殊変倍機能は、編集機能の白・黒枠トリミング、原稿位置自動検知が指定された時だけ有効になる。」
（６）公報５ページ右上欄１７行目ないし右下欄４行目
「第５図は第１図の操作部Ａ−１の詳細図である。この操作部は大きく３つのブロツクに別れている。右側のブロツクが従来の複写機に見られる汎用キー表示部１００である。中央のブロツクがユーザがプログラムによる任意に創作登録しておいた複写伝送機能を呼び出して使う為のフアンクシヨン・キー・表示部３００である。…１０８は０〜９、Ｃのテン・キー群であって表示器１０３への枚数セツト及びソフト・キー表示器２００にてプログラム創作過程での数値のエントリ（例えばトリミング座標、移動座標、変倍の倍率、送信先アドレス指定等）に用いられる。」
（７）公報１２ページ右上欄１０行目ないし右下欄９行目
「第１５図にトリミング像を任意のポイントを基準に任意の倍率に変倍する画像編集を行う手法について図解する。Ａ図は原稿面、Ｂ図は拡大図、Ｃ図はシフト図である。その画像編集の基本的手法は、（１）トリミング領域の座標値と移動座標値と倍率とによって編集後の座標値を算出する（Ａ〜Ｃ図）ものである。それは（２）トリミング領域の座標値から主走査方向の座標値（ｘ）、副走査方向の座標値（ｙ）のうち最小（原稿載置基準より）のものをＣＰＵが判定しｘ０，ｙ０とする。座標はｍｍ単位でキーにより入力されるので、又１６ライン／ｍｍなので、ｙ０座標のライン数Ｌ０は（ｙ０×１６）となる。又ｘ０座標の情報量Ｉ０は（ｘ０×１６）となる（Ａ図）。（３）編集後の領域座標値からｘ方向，ｙ方向の最小のものをＣＰＵが判定しｘ１，ｙ１とする（Ｃ図）。（４）ｘ０と倍率とｘ１をベースに、シフト・メモリから読出すリード・アドレス・カウンタにおける読出し開始アドレスのプリセツト値を決める（Ｃ図のアドレスＡ３の算出）。…次にこの拡大像をｘ１にシフト点から出力すべくシフトメモリを読出し開始アドレスＡ３を求めるが、それはＡ２＋Ｉ２となる。尚Ｉ２はシフト座標ｘ１に応じた情報量で、（ｘ１×１６）である。ところでｙ１座標のライン数Ｌ１はｙ１×１６である。
　次に（５）ｙ０と倍率とｙ１をベースに前述ＰＲＩＮＴ　ＳＴＡＲＴ（給紙）信号の発生から光学系をスタートする迄の又はＶＳＹＮＫ発生迄の時間間隔を決定する（Ｌ３の算出）。即ちＬ１−Ｌ２がそれに対応する。この差が＋Ｌ３の時はＳＴＡＲＴ信号又はＶＳＹＮＫ信号を基準より、Ｌ３×主走査サイクル（３４７．２μＳ）早く出す。又−Ｌ３の時はＳＴＡＲＴ信号又はＶＳＹＮＫ信号を上記より遅く出す。」
（８）公報１４ページ右上欄１０ないし１９行目
「第１７−１図にはリーダＡの原稿台ガラス３上に原稿３００が置かれている状態を示す。基本的には前述の如く載置位置は決まっているが、図の如く斜めにも置ける。この場合原稿ガラス３０２上の基準座標ＳＰからの主走査方向をＸ、副走査方向（本発明の原稿走査方向に相当）をＹとしたときの４点の座標（Ｘ１，Ｙ１），（Ｘ２，Ｙ２），（Ｘ３，Ｙ３），（Ｘ４，Ｙ４）をプリンタの前回転動作期間中に、光学系を前走査して検出する。これにより原稿の大きさや位置を判別できる。」
（９）公報１５ページ左下欄１８行目ないし右下欄１３行目
「又プリンタＢ側は紙先端と座標Ｙ１とが同期するようレジストローラ１８の給紙制御がなされる。標準モードではリーダＡからの信号ＶＳＹＮＣ（前述画先センサ３７ｂと同期）でレジストローラ１８を作動するが、この場合、前述トリミングシフトの場合と同様この信号と画先センサ３７ｂからの信号との間にＹ１に相当する時間を設けることでなされる。…以上の制御モードは前述エトセトラキーにより設定される表示対応のシフトキーにより選択されるが、専用キーを設け、それを入力作動することによってもなし得る。」
（１０）公報１６ページ右上欄５ないし８行目
「第１５−Ｌ図に前述トリミング，変倍，シフトの手順をフローチヤートで示す。シフトのある場合に限りｘ０，ｙ０点に関して先ず処理を行ったが（第１５−Ｊ図）、」
（１１）公報１６ページ右下欄１３行目ないし１７ページ左上欄１０行目
「第１８図−１図及び第１８−２図は小さいオリジナルの又はオリジナルのトリミングしたものをシートの略中央に移動してプリント（センタリング）させるための説明図とＣＰＵによる制御フロー図である。即ち前述の如くして斜線部のトリミング座標の最大値と最小値（ＴＸＭＡＸ，ＴＹＭＡＸ）、（ＴＸＭＩＮ，ＴＹＭＩＮ）としてセットする（１）。これは前述座標検知によってセットすることもできる。次にシートに合うＸ，Ｙ方向の倍率を決める。…（２）。…次にシートのＸ方向、Ｙ方向の長さをＰＳ・Ｘ、ＰＳ・ＹとしてＲＡＭにセットする。これはプリンタからのデータにより決まる（３）。これらのデータを用いてセンタリングの為の移動座標ＴＸＭ，ＴＹＭを求める（４）。」
（１２）公報１７ページ右上欄３行目ないし左下欄１８行目
「第２０−１図、第２０−２図は、プラテン上にブック原稿を開いたまま右、左ページを各々独立に、又は、続けて読取って、１枚又は２枚のシートにプリントする説明図と制御フロー図である。まず、第２０−１図にて原稿を前スキャンして原稿のサイズ（Ｘ１，Ｙ１）を…検出座標から判定する。…
　第２０−２図のフローにおいて、まずブックモードの指定がソフトキーで入力されると、コピーキーの入力時前スキャンしてサイズ検出する原稿サイズ検出フラグをセットする。次に要求コピーが左のみか（１）、右のみか（２）、左右両方をシート一枚にプリントするか（３）…判断する。これはソフトキーを入力をＣＰＵが判断することによる。…　
　左と右とを同シートにプリントする場合は、通常のＹ１、Ｙ２のトリミングと同じ様に座標を求め（１１）、センタリング（１２）を施し、反転Ｐを求める（１３）。」
（１３）公報１７ページ右下欄１４行目ないし１８ページ左上欄３行目
「以上の各モードでは、前述の如くスキヤナのスタートタイミング又はプリンタ側のシート給紙のレジストタイミングをセンタリング等による情報量に応じて遅らしたり早めにしたりすることにより、適正位置に像再生する。
　なお、原稿座標Ｙ１，Ｙ２をテンキー又はサイズキーを使ってマニユアル入力することもできる。」
　これらの記載及び図面の記載によれば刊行物２には、次の発明（以下「引用発明」という。）が記載されていると認める。
「本原稿を見開いて下向きに載置する原稿台と、該原稿台上の原稿の下を左右方向に移動しながら該原稿の画像データを読み取る走査手段と、この走査手段により読み取られた原稿の画像データにより、前記走査手段の移動方向とコピー紙の搬送方向とを対応させて該コピー紙上に画像を形成するプリンタ部とを有する像処理装置において、
　前記走査手段により読み取られた前記原稿の画像データにより前記転写紙上に画像を形成するときに、前記原稿の大きさ及び位置を検知する検知機能と、検知手段により検知された原稿の大きさ又は位置に従って前記走査手段の原稿走査領域を制御する手段と、
　制御機能を登録可能なキー又は制御用専用キーを有する操作部とを有し、
　原稿走査領域を制御する手段は、原稿の画像の左端部位置を前記転写紙の搬送方向先端位置に合わせて前記転写紙上に画像を形成させるよう移動させる移動先指定、原稿の画像を前記転写紙の搬送方向中央に形成させるセンタリング指定を行う画像移動機能を有し、
　操作部は、原稿の前記走査手段移動方向位置と前記転写紙の搬送方向位置との位置関係より前記転写紙の搬送方向位置を前記原稿の前記走査手段移動方向位置に対して前記転写紙の搬送方向に移動させる「移動キー」を設けるとができ、さらに移動量を設定する座標入力キーを設け、
　原稿が見開いたブック原稿であり、走査手段が見開いたブック原稿の左右頁の画像データを読み取り、前記ブック原稿の左右頁の画像データを前記転写紙上に画像を形成するときに、前記見開いたブック原稿の画像を前記転写紙の搬送方向中央に形成させるセンタリングを可能とした像処理装置。」
　
第３　対比
　本願発明と刊行物２に記載の発明とを対比する。
（１）刊行物２に記載の発明における「原稿台」、「ブック原稿」は、それぞれ本願発明における「原稿載置台」、「本原稿」に相当する。
（２）刊行物２に記載の発明における「走査手段」は、左右方向に移動しながら原稿の画像情報を読み取るものであるからは、本願発明における「読取手段」に相当する。
（３）刊行物２に記載の発明における「プリンタ部」は、本願発明における「画像形成部」に相当する。
（４）刊行物２に記載の発明における「センタリング」は、見開いた本原稿の画像を前記転写紙の搬送方向中央に形成させる原稿の画像位置を前記転写紙の搬送方向の適宜の位置に合わせて前記転写紙上に画像を形成させる設定をするものであるから、本願発明の「画像基準位置設定手段」とは「画像位置の設定手段」である点で共通する。
（５）刊行物２に記載の発明における「座標入力キー」は、本願発明における「画像基準位置移動手段」とは、「画像位置の移動手段」である点で共通する。
（６）刊行物２に記載の発明における「像処理装置」は、本原稿の画像を処理するものであるから、本願発明における「本原稿画像処理装置」に相当する。
　
　したがって、両者は
「本原稿を見開いて載置する原稿載置台と、左右方向に移動しながら本原稿の画像データを読み取る読取手段と、この読取手段により読み取られた本原稿の左右頁の画像データにより、前記読取手段の移動方向と転写紙の搬送方向とを対応させて該転写紙上に画像を形成する画像形成部とを有する本原稿画像形成装置において、
　前記読取手段により読み取られた前記本原稿の左右頁の画像データにより前記転写紙上に画像を形成するときに、前記見開いた本原稿の左端部位置を前記転写紙の搬送方向先端位置に合わせて前記転写紙上に画像を形成させる設定と、前記見開いた本原稿の画像を前記転写紙の搬送方向中央に形成させる設定とを行う画像位置の設定手段と、
　前記見開いた本原稿の前記読取手段移動方向位置と前記転写紙の搬送方向位置との位置関係より前記転写紙の搬送方向位置を前記見開いた本原稿の前記読取手段移動方向位置に対して前記転写紙の搬送方向に移動させる移動量を設定する画像位置の移動手段と
を備えた本原稿画像形成装置。」
である点で一致し、以下に列挙する点で相違している。
　
　相違点１：本願発明は、「原稿載置台」が本原稿を上向きに載置するものであり、「読取手段」が見開いた本原稿の上を移動することで画像データを読み取るのに対して、引用発明は、「原稿載置台」が本原稿を下向きに載置するものであり、読取手段が原稿台の下を移動することで画像データを読み取るものである点。
　
　相違点２：画像位置の設定手段が、本願発明は、見開いた本原稿の左端部位置を前記転写紙の搬送方向先端位置に合わせて前記転写紙上に画像を形成させる設定と、前記見開いた本原稿の画像を前記転写紙の搬送方向中央に形成させる設定と、前記見開いた本原稿の右端部位置を前記転写紙の搬送方向後端位置に合わせて前記転写紙上に画像を形成させる設定とのいずれかに選択的に設定を行う「画像基準位置設定手段」であるのに対し、刊行物２に記載の発明は前記見開いた本原稿の画像を前記転写紙の搬送方向中央に形成させる設定」、「原稿の左端部位置を前記転写紙の搬送方向先端位置に合わせて前記転写紙上に画像を形成させる設定」を選択可能なものの、「見開いた本原稿の右端部位置を前記転写紙の搬送方向後端位置に合わせて前記転写紙上に画像を形成させる設定」を有しておらず、原点移動等のその他の設定機能を有している点。
　
　相違点３：本願発明は、画像位置の設定手段により前記見開いた本原稿の左端部位置を前記転写紙の搬送方向先端位置に合わせて前記転写紙上に画像を形成させる設定と、前記見開いた本原稿の右端部位置を前記転写紙の搬送方向後端位置に合わせて前記転写紙上に画像を形成させる設定とがなされたときのみ、前記画像基準位置移動手段による前記移動量の設定を有効にし、前記見開いた本原稿の画像を前記転写紙の搬送方向中央に形成させる設定がなされたときには前記画像位置の移動手段による前記移動量の設定を無効にするものであるのに対し、刊行物２に記載された発明はこのような構成を有していない点。
　
第４　判断
１．相違点１について
　本原稿を見開いて上向きに載置する原稿載置台と、該原稿載置台上の見開いた本原稿の上を左右方向に移動しながら該見開いた本原稿の左右頁の画像データを読み取る読取手段とを有する画像形成装置は、特開平４−５１１７４号公報及び特開平５−１２４３７８号公報に記載されている様に当業者に周知の技術事項にすぎない。
　したがって、刊行物２に記載の発明において、本原稿を見開いて上向きに載置する原稿載置台と、該原稿載置台上の見開いた本原稿の上を左右方向に移動しながら該見開いた本原稿の左右頁の画像データを読み取る読取手段を用いて本原稿の画像データを読み取るよう構成することは、当業者が容易に想到し得るものである。
　
２．相違点２について
　刊行物２に記載の画像処理装置は、原稿の画像位置を前記転写紙の搬送方向の適宜の位置に合わせて前記転写紙上に画像を形成させる設定をする「画像移動機能」を有しており、原稿には見開いた本原稿が含まれるから、刊行物２には、見開いた本原稿の左端部位置を前記転写紙の搬送方向先端位置に合わせて前記転写紙上に画像を形成させる設定を選択できることが実質的に示され、そのような機能を選択する「移動キー」を登録できること、移動量をｍｍ単位で入力する「座標移動キー」を設けることが記載されている。
　刊行物２には、見開いた本原稿の右端部位置を前記転写紙の搬送方向後端位置に合わせて前記転写紙上に画像を形成させる設定については記載されていないが、刊行物１には、見開いた本原稿の左ページの複写と右ページの複写とで本原稿を逆向きに置き直して、左右ページを交互に複写する場合に、記録紙上の同じ向きに余白をとって複写するために、余白シフトが必要であることを示す「余白シフト・スイッチ」と、１ページ目が左ページの複写であるときに、１ページ目の複写時に記録紙の左端に余白を作るよう余白シフトを行うことを示す「左ページ・スタート・スイッチ」と、１ページ目が右ページの複写であるときに、１ページ目の複写時に記録紙の右端に余白を作るよう余白シフトを行うことを示す「右ページ・スタート・スイッチ」と、余白シフトの量を示す「シフト量設定器」と、コピーを開始する「コピー・スタート・スイッチ」を備え、余白シフト・スイッチがオン状態で、かつ、左ページ・スタート・スイッチがオン状態であると、１ページ目の複写時に記録紙の左側に余白が生じるようシフト量設定器で決まる時間だけインクジェット・ヘッド支持体が光学ユニット基台より先にスタートし、余白シフト・スイッチがオン状態で、かつ、右ページ・スタート・スイッチがオン状態であると、１ページ目の複写時に記録紙の右側に余白が生じるようシフト量設定器で決まる時間だけインクジェット・ヘッド支持体が光学ユニット基台より後にスタートさせることが記載されている。
　そうすると、刊行物２に記載の発明において、転写紙上の画像位置を設定する際に、原稿の左端部位置を前記転写紙の搬送方向先端位置に合わせて転写紙上に画像を形成させる設定に加え、原稿の右端部位置を前記転写紙の搬送方向後端位置に合わせて転写紙上に画像を形成させる設定を設け、そのような機能を選択する「キー」を設けることは当業者が容易に想到しうることである。そして、刊行物２に記載の画像処理装置は、原稿の位置を検知し、その座標に基づいて転写紙への画像形成位置を制御するものであるから、見開いた本原稿の右端部を検知し、画像右端部が転写紙の後端から一定の位置にくるように、転写紙の給紙を制御することは容易になしうることである。　
３．相違点３について
　刊行物２には、画像の移動機能として「移動先指定」と「センタリング」があること、「移動先指定」の際は「座標移動キー」で移動量を入力することが記載されている。そして、「センタリング」すなわち、見開いた本原稿の画像を前記転写紙の搬送方向中央に形成させる設定は、画像位置の移動手段による移動量の設定に拘わらず設定させるものであるから、画像位置の移動手段による前記移動量の設定を無効にすることは当業者が必要に応じて適宜なし得る事項にすぎない。
　また、刊行物１に、余白シフト・スイッチをオフ状態の場合には、シフト量設定器の設定にかかわらず、インクジェット・ヘッドと受光器が同時にスタートすること、すなわち、余白を必要としない場合には、画像位置の移動手段であるシフト量設定器の設定が無効とされることが示されている。そして、見開いた本原稿の画像を前記転写紙の搬送方向中央に形成させる設定は、画像位置の移動手段による移動を必要としない状態であるから、見開いた本原稿の画像を転写紙の搬送方向中央に形成させる設定を選択できるようにした場合に、余白シフト・スイッチがオフ状態と同様に画像位置の移動手段を無効にするよう構成することは刊行物１の記載に基いて当業者が当業者が容易になしうることでもある。
　
４．作用効果について
　そして、本願発明の効果は、全体として刊行物２に記載された発明、刊行物１に記載された発明及び周知技術から予測できる程度のことであって、格別顕著なものとは認められない。
　審判請求人は、「オペレータの操作ミスを防止できる」という作用効果を奏する旨意見書で主張しているが、上記のとおり、刊行物１には、余白を設けるための画像位置の移動を必要としない場合には、シフト量設定器の設定を無効とすることが記載されており、この場合、シフト量設定器が設定されていたとしても、画像の位置ずれが生じないことは明らかであって、本原稿の画像を前記転写紙の搬送方向中央に形成させる設定の際に、画像位置の移動手段を無効にすることによりこの様な効果が得られることは、当業者であれば当然に予期しうる程度のことにすぎない。　
　
５．むすび
　よって、本願発明は、刊行物２に記載された発明及び刊行物１に記載された発明ならびに周知技術に基づいて当業者が容易に発明をすることができたものである。　
　
第５　むすび
　上記のとおり、本願発明は特許法第２９条第２項の規定により特許を受けることができないものであり、本願は拒絶すべきものである。
　よって、上記結論のとおり審決する。